(57)【要約】【課題】折戸の開閉操作を円滑に行うことができ、かつ閉鎖時に折戸表面からの突出量も少なく、更に折戸の開閉途中でも指が入るような空間を全く生じさせない折戸隙間封鎖具とする。【解決手段】隙間封鎖具１は、断面視で、扉連結部の隙間を貫通して配置されるとともに、ほぼ扉の厚みに相当する幅寸法とされる側壁部１０と、この側壁部１０の扉裏面側端部に設けられた滑節部１３を介して連結された扉への取付板部１１Ａ、１１Ｂと、前記側壁部１０の扉表面側端部に設けられた滑節部１４を介して連結されるとともに、左右両側に夫々延在する扉連結部の外側を覆うカバー板部１２Ａ、１２Ｂとからなり、折戸２への取付状態で、前記左右一対のカバー板部１２Ａ、１２Ｂは夫々、前記側壁側１０への回動方向に付勢保持されている。【選択図】図４
2010133097.tif 000002
【特許請求の範囲】
【請求項１】
左右の扉を蝶番によって折曲自在に連結した折戸において前記扉連結部の隙間を封鎖するための隙間封鎖具であって、
前記隙間封鎖具は、断面視で、前記扉連結部の隙間を貫通して配置されるとともに、ほぼ前記扉の厚みに相当する幅寸法とされる側壁部と、この側壁部の扉裏面側端部に設けられた滑節部を介して連結された扉への取付板部と、前記側壁部の扉表面側端部に設けられた滑節部を介して連結されるとともに、左右両側に夫々延在する扉連結部の外側を覆うカバー板部とからなり、折戸への取付状態で、前記左右一対のカバー板部は夫々、前記側壁側への回動方向に付勢保持されていることを特徴とする折戸の隙間封鎖具。
【請求項２】
前記側壁部、取付板部及びカバー板部は硬質樹脂からなり、前記滑節部は軟質樹脂から成り、これら各部材が一体成形されている請求項１記載の折戸の隙間封鎖具。
【請求項３】
折戸への取付状態で、前記左右一対のカバー板部は、前記滑節部の弾性によって前記側壁側への回動方向に付勢保持されている請求項１，２いずれかに記載の折戸の隙間封鎖具。
【請求項４】
扉連結部において、扉表面の側縁隅部が面取りされた折戸への取付状態で、前記折戸の全開時に前記左右一対のカバー板部の外側端縁が前記面取り部に位置するようにカバー板部の幅を設定してある請求項１〜３いずれかに記載の折戸の隙間封鎖具。
【請求項５】
前記請求項１〜４いずれかに記載の隙間封鎖具を折戸へ取り付けるための取付方法であって、
前記扉連結部に隙間が生じるように折戸を開いた状態とし、前記隙間封鎖具の取付板部を側壁部の反対側に面同士を重ねるように折り畳み、取付板部及び側壁部を折戸の外側から前記扉連結部の隙間に挿入した後、前記取付板部を展開し、折戸裏面にビス止めするか接着剤によって固定することを特徴とする隙間封鎖具の折戸への取付方法。
【発明の詳細な説明】
【技術分野】
【０００１】
本発明は、折戸において扉同士の連結部に生じる隙間を封鎖するための隙間封鎖具及び折戸への取付方法に関する。
【背景技術】
【０００２】
従来より、洋服タンス等の収納家具、クローゼット等の収納建具又は間仕切り戸に使用される折戸は、図８に示されるように、複数枚の扉５０，５０の側縁部分をお互いに蝶番５１、５１などにより連結して折り畳み自在とするとともに、取付け枠の上下枠部にそれぞれ上レール５２および下レール５３を取付け、たとえば折戸の戸元側上下部に前記上下レール５２，５３に嵌合され固定機構によりレールの所定位置に位置固定される軸受け金具５４，５５を設け、これら軸受け金具５４，５５によって折戸の上下端側ピボットを夫々回転自在に支持させるようにし、一方折戸の戸先側上下部には開閉に伴って上下レール５２，５３に沿って移動自在とされるランナ５６，５７を取付けて開閉自在としたものである。
【０００３】
前記折戸においては、扉連結部に折戸の開閉に伴って隙間が生じるが、この隙間に誤って指を挟んだ状態で扉が閉じられると、非常に大きな力で指が潰される事故が発生する危険性があるため、近年前記扉連結部の隙間を封鎖する装置が幾つか提案されている。
【０００４】
例えば、下記特許文献１では、折曲げ自在に連結された第１及び第２の扉を有する折戸の折曲部分を外側から覆うカバーと、このカバーと扉の連結部とを連結し、折戸の折曲げ時に生じる連結端部の回転に追従するジョイント機構を備えた折戸の隙間カバー装置が提案されている。
【０００５】
下記特許文献２では、折曲げ部を有する４枚の板状カバーからなるドアの指詰め防止カバーが提案されている。
【０００６】
下記特許文献３では、 複数のパネルを折曲自在に連結して形成されるドア体であって、該ドア体の折曲に伴って開閉する隣接パネル間の指詰めスペースを、可撓性を有する指詰め防止カバーで覆蓋するにあたり、該指詰め防止カバーは、隣接パネル間に亘って取付けられると共に、取付部間を繋ぐ可撓部の中間部位には、指詰めスペースの開口幅に略対応する幅を有した硬質部が形成され、かつ該硬質部の両端部内面側には、指詰めスペースが閉じる際、パネル体コーナー部との接当に基づいて硬質部を外方に押出ガイドする傾斜面が形成されているドア体の指詰め防止カバーが提案されている。
【０００７】
更に、下記特許文献４では、図９に示されるように、第１及び第２の扉を折り曲げ自在に連結した折戸の、前記第１及び第２の扉の隙間を覆う折戸の隙間カバー装置であって、上記折戸の折曲部分を外側から覆うカバー６０と、このカバー６０の両側端部と前記第１及び第２の扉とをそれぞれ連結し、かつ、前記カバー６０及び前記扉に対し回動自在に配設された連結部６１，６１とを備え、前記折戸を閉めると、前記連結部６１，６１が、前記カバー６０を前記扉に接近あるいは当接した状態で支持する折戸の隙間カバー装置が提案されている。
【特許文献１】特開平８−１３９３３号公報
【特許文献２】特開平１０−１３１６０７号公報
【特許文献３】特許第３３５８０１１号公報
【特許文献４】特開２００３−３７６２号公報
【発明の開示】
【発明が解決しようとする課題】
【０００８】
しかしながら、前記特許文献１に係る隙間カバー装置の場合は、スライドピンが案内孔をスライドする機構とするものであり、スライド構造部分が構造的弱点となり易い。また、案内孔は直線で形成しているのに対して、スライドピンは円弧状の軌跡線で移動するため、摩擦が大きく折戸の開閉がスムーズに行われないなどの問題や、部品数が多く製作コストが嵩むなどの問題もあった。
【０００９】
前記特許文献２に係る指詰め防止カバーは、ドアの開度が約０〜９０度の範囲で開閉されるドアに適用されるものであり、約０〜１８０度の範囲で開閉される折戸に適用することは実質的に困難である。
【００１０】
前記特許文献３に係る指詰め防止カバーは、ドアを閉めた際に硬質部がドア表面から大きく突出し、外観が悪いなどの問題があった。
【００１１】
更に、前記特許文献４に係る隙間カバー装置は、図９(ｂ)に示されるように、開閉途中でカバー６０が大きく外側に突出してしまうとともに、同図に鎖線で示したように、開閉途中でカバー６０と折戸との間に空間が生じるため、ここに指を差し入れたまま折戸を閉じると、指がカバー６０と折戸とによって挟まれてケガをすることがあるなどの問題があった。
【００１２】
そこで本発明の主たる課題は、簡単な構造であり製作コストも廉価で済むとともに、折戸の開閉操作を円滑に行うことができ、かつ閉鎖時に折戸表面からの突出量も少なく、更に折戸の開閉途中でも指が入るような空間を全く生じさせない折戸の隙間封鎖具及び折戸への取付方法を提供することにある。
【課題を解決するための手段】
【００１３】
前記課題を解決するために請求項１に係る本発明として、左右の扉を蝶番によって折曲自在に連結した折戸において前記扉連結部の隙間を封鎖するための隙間封鎖具であって、
前記隙間封鎖具は、断面視で、前記扉連結部の隙間を貫通して配置されるとともに、ほぼ前記扉の厚みに相当する幅寸法とされる側壁部と、この側壁部の扉裏面側端部に設けられた滑節部を介して連結された扉への取付板部と、前記側壁部の扉表面側端部に設けられた滑節部を介して連結されるとともに、左右両側に夫々延在する扉連結部の外側を覆うカバー板部とからなり、折戸への取付状態で、前記左右一対のカバー板部は夫々、前記側壁側への回動方向に付勢保持されていることを特徴とする折戸の隙間封鎖具が提供される。
【００１４】
上記請求項１記載の発明は、隙間封鎖具を、前記側壁部、取付板部及びカバー板部の３部品から構成した単純な構造であるため、製作コストも廉価で済むようになる。また、スライドなどの可動部を有さず、屈曲動作のみであるため折戸の開閉操作も円滑に行うことが可能となる。また、前記左右一対のカバー板部は、折戸への取付状態で、前記側壁側への回動方向に付勢保持されているため、折戸が開閉されても、左右一対のカバー板部が常に扉連結部の表面両側部に当接した状態を保持し折戸連結部を完全に覆うようになる。従って、折戸の開閉時に指が入るような空間を全く生じさせないため、指詰め事故を完全に無くすことができ安全に折戸を開閉操作できるようになる。
【００１５】
請求項２に係る本発明として、前記側壁部、取付板部及びカバー板部は硬質樹脂からなり、前記滑節部は軟質樹脂から成り、これら各部材が一体成形されている請求項１記載の折戸の隙間封鎖具が提供される。
【００１６】
上記請求項２記載の発明では、前記側壁部、取付板部及びカバー板部は硬質樹脂とし、前記滑節部は軟質樹脂として、これらを一体成形することによって製造するため、廉価なコストで大量生産が可能である。
【００１７】
請求項３に係る本発明として、折戸への取付状態で、前記左右一対のカバー板部は、前記滑節部の弾性によって前記側壁側への回動方向に付勢保持されている請求項１，２いずれかに記載の折戸の隙間封鎖具が提供される。
【００１８】
上記請求項３記載の発明は、折戸への取付状態で、前記左右一対のカバー板部は、前記滑節部の弾性によって前記側壁側回動方向に付勢保持されている構造としたものである。すなわち、前記左右一対のカバー板部を側壁側に傾斜させた状態で製作しておけば、扉の側端部が取付板部、側壁部及びカバー板部によって構成された凹溝に嵌め込まれた取付状態で、前記左右一対のカバー板部を、滑節部の弾性によって扉面側に付勢した状態で当接させることができる。
【００１９】
請求項４に係る本発明として、扉連結部において、扉表面の側縁隅部が面取りされた折戸への取付状態で、前記折戸の全開時に前記左右一対のカバー板部の外側端縁が前記面取り部に位置するようにカバー板部の幅を設定してある請求項１〜３いずれかに記載の折戸の隙間封鎖具が提供される。
【００２０】
上記請求項４記載の発明では、折戸への取付状態で、折戸の全開時に前記左右一対のカバー板部の外側端縁が前記面取り部に位置するようにカバー板部の幅を設定したものである。従って、折戸を全開した状態から扉を閉める際に、カバー板部の外側端縁が面取り部の傾斜面を滑るように摺動するため、円滑に折戸を閉操作できるようになる。
【００２１】
請求項５に係る本発明として、前記請求項１〜４いずれかに記載の隙間封鎖具を折戸へ取り付けるための取付方法であって、
前記扉連結部に隙間が生じるように折戸を開いた状態とし、前記隙間封鎖具の取付板部を側壁部の反対側に面同士を重ねるように折り畳み、取付板部及び側壁部を折戸の外側から前記扉連結部の隙間に挿入した後、前記取付板部を展開し、折戸裏面にビス止めするか接着剤によって固定することを特徴とする隙間封鎖具の折戸への取付方法が提供される。
【００２２】
上記請求項５記載の発明は、本隙間封鎖具の折戸への取付方法を示したものである。本隙間封鎖具の場合は、上記取付手順により、新規折戸はもとより既設の折戸に対しても容易に取付けが可能である。
【発明の効果】
【００２３】
以上詳説のとおり本発明によれば、簡単な構造であり製作コストも廉価で済むとともに、折戸の開閉操作を円滑に行うことができ、かつ閉鎖時に折戸表面からの突出量も少なく、更に折戸の開閉操作中に指が入るような空間を全く生じさせないなどの効果を奏することができる。
【発明を実施するための最良の形態】
【００２４】
以下、本発明の実施の形態について図面を参照しながら詳述する。
【００２５】
図１は本発明に係る隙間封鎖具１を装着した折戸２の斜視図であり、図２は隙間封鎖具１の斜視図、図３はその断面図、図４は折戸への取付け状態を示す横断面図である。
【００２６】
図示される折戸２は、図１に示されるように、左右の扉２Ａ、２Ｂを蝶番によって折曲自在に連結し、上下枠部にそれぞれ上レール３および下レール４を取付け、折戸２の扉２Ａ、２Ｂの先端側上部に前記上レール３を走行可能な上ランナを取付けるとともに、扉２Ａ、２Ｂの先端側下部に前記下レール４を走行可能な下ランナを取付けたものである。なお、折戸２には、折戸単体が自由に移動可能としたフリータイプと、折戸の一方を軸受け装置によって固定支持し、戸先側のみをレールに沿って移動可能とした固定タイプ、更にこれらを任意に切換可能とした兼用タイプとがあり、図示例はフリータイプである。
【００２７】
前記折戸２の開閉に伴って前記扉２Ａ、２Ｂの連結部に生じる隙間を封鎖するために、前記扉連結部に設置される隙間封鎖具１は、前記折戸２の縦寸法とほぼ同じ長さを有する長尺部材であり、詳細には図２及び図３に示されるように、断面視で、前記扉連結部の隙間を貫通して配置されるとともに、ほぼ前記扉２Ａ、２Ｂの厚みに相当する幅寸法とされる側壁部１０と、この側壁部１０の扉裏面側端部に設けられた滑節部１３を介して連結された扉への取付板部１１Ａ、１１Ｂと、前記側壁部１０の扉表面側端部に設けられた滑節部１４を介して連結されるとともに、左右両側に夫々延在する扉連結部の外側を覆うカバー板部１２Ａ、１２Ｂとからなり、図４に示される折戸への取付状態で、前記左右一対のカバー板部１２Ａ、１２Ｂは夫々、前記側壁側１０への回動方向に付勢保持されているものである。
【００２８】
前記側壁部１０、取付板部１１Ａ、１１Ｂ及びカバー板部１２Ａ、１２ＢはＡＢＳ樹脂，ポリ塩化ビニル，ポリプロピレンなどの硬質樹脂からなり、前記滑節部１３，１４は塩素化エチレンコポリマー，ポリ塩化ビニル，ＥＶＡなどの軟質樹脂から成り、これら各部材が一体成形（２重成形）によって製造されている。
【００２９】
なお、本例では隙間封鎖具１の全部を樹脂によって製造するようにしたが、鋼材、アルミ材などの金属材によって製造するようにしてもよい。この場合、前記滑節部１３，１４については、軸部を管部（巻き加工部）で外嵌させた蝶番構造とするか、ヒンジとなり得る軟質部材（軟質樹脂、ゴム等）を介在させて結合すればよい。
【００３０】
製造状態での断面は、図３に示されるように、前記左右一対のカバー板部１２Ａ、１２Ｂを側壁側１０側に傾斜させた状態となっており、図４に示されるように、扉２Ａ、２Ｂの側端部が取付板部１１Ａ、１１Ｂ、側壁部１０及びカバー板部１２Ａ、１２Ｂによって構成された凹溝に嵌め込まれた取付状態で、前記左右一対のカバー板部１２Ａ、１２Ｂは、滑節部１４の弾性によって扉面側に付勢した状態で当接するようになっている。仮に、前記滑節部１４を機械的な蝶番構造とした場合には、回転軸に巻回させた巻きバネによって、前記左右一対のカバー板部１２Ａ、１２Ｂを扉面側に付勢させるようにすればよい。
【００３１】
また、扉２Ａ、２Ｂへの固定のために、前記取付板部１１Ａ、１１Ｂの扉当接面側には、粘着剤１５が塗布されているとともに、この粘着剤層を覆う剥離紙１６が設けられている。前記粘着剤１５及び剥離紙１６としては、汎用的に両面テープを使用することができる。
【００３２】
図４に示されるように、扉２Ａ、２Ｂの連結側部分において、扉表面の側縁隅部に傾斜状の面取り部２ａ、２ｂが設けられた折戸２の場合は、図７(C)に示すように、折戸２の全開時に前記左右一対のカバー板部１２Ａ、１２Ｂの外側端縁が前記面取り部２ａ、２ｂに位置するように前記カバー板部１２Ａ、１２Ｂの幅を設定するようにするのが望ましい。このようにしておくと、折戸２を全開した状態から扉を閉める際に、カバー板部１２Ａ、１２Ｂの外側端縁が前記面取り部２ａ、２ｂの傾斜面を滑るように摺動するため、円滑に折戸２を閉操作できるようになる。
【００３３】
図５に折戸２への取付け状態斜視図を示すが、扉２Ａ、２Ｂは蝶番５，５によって折曲自在に連結されているため、蝶番に対応する部分、図示例では上下２箇所の蝶番対応部分については、側壁部１０及び取付板部１１Ａ、１１Ｂを切り欠いておき（切欠き部１ａ、１ｂ）、蝶番５，５を避けて設置するようにする。
【００３４】
次に、図６に基づいて、前記隙間封鎖具１の折戸２への取付方法について詳述する。
【００３５】
図６に示されるように、扉連結部に隙間が生じるように折戸２を開いた状態（約７０〜１５０°程度）とし、前記隙間封鎖具１の取付板部１１Ａ、１１Ｂを側壁部１０の反対側に面同士を重ねるように折り畳み、取付板部１１Ａ、１１Ｂ及び側壁部１０を折戸２の外側から前記扉連結部の隙間に挿入した後、前記取付板部１１Ａ、１１Ｂを展開したならば、剥離紙１６を剥がし、取付板部１１Ａ、１１Ｂを扉２Ａ、２Ｂの裏面に接着する。この場合、図示されるように、扉２Ａ、２Ｂ表面の側縁隅部に面取り部２ａ、２ｂを形成しておくと、前記取付板部１１Ａ、１１Ｂ及び側壁部１０を扉連結部の隙間に挿入し易くなる。
【００３６】
なお、本形態例では、前記取付板部１１Ａ、１１Ｂの扉２Ａ、２Ｂへの固定方法として、粘着剤による方法を採用したが、取付板部１１Ａ、１１Ｂを貫くように、ビス（図示せず）を螺入させて扉２Ａ、２Ｂに固定するようにしてもよい。
【００３７】
次いで、図７(A)〜(C)に基づいて、折戸２の開閉に伴う隙間封鎖具１の動作を説明する。
【００３８】
図７(A)に示される折戸２の全閉状態から、把手に手を掛けて折戸２を開くと、図７(B)に示されるように、前記取付板部１１Ａ、１１Ｂは、扉２Ａ、２Ｂに固定されているため、滑節部１３を屈曲点として扉２Ａ、２Ｂの開閉角度に合わせて折れ曲がる。また、カバー板部１２Ａ、１２Ｂは、扉面側に付勢した状態で当接しているため、扉２Ａ、２Ｂが角折れすると、滑節部１４を屈曲点として扉２Ａ、２Ｂ側に回動し、扉２Ａ、２Ｂへの当接状態を維持しながら、扉２Ａ、２Ｂの開閉角度に合わせて折れ曲がる。これによって、折戸連結部は、前記カバー板部１２Ａ、１２Ｂによって完全に覆われ、指が入るような空間を全く生じさせないため、指詰め事故を完全に無くし安全に折戸２を開閉操作できるようになる。
【００３９】
図７(C)に示されるように、折戸２が全開状態（ほぼ１７０°）まで開かれた状態では、前記カバー板部１２Ａ、１２Ｂは、外側端縁が前記面取り部２ａ、２ｂに位置するようにカバー板部１２Ａ、１２Ｂの幅を設定してあるため、折戸連結部は前記カバー板部１２Ａ、１２Ｂによって完全に覆われたままであるとともに、この全開状態から扉を閉める際に、カバー板部１２Ａ、１２Ｂの外側端縁が前記面取り部２ａ、２ｂの傾斜面を滑るように摺動するため、円滑に折戸２を閉操作できるようになる。なお、折戸２を閉める際は、上記の逆動作となる。
【図面の簡単な説明】
【００４０】
【図１】本発明に係る隙間封鎖具１を装着した折戸２の斜視図である。
【図２】隙間封鎖具１の斜視図である。
【図３】隙間封鎖具１の断面図である。
【図４】隙間封鎖具１を折戸２に取り付けた状態を示す横断面図である。
【図５】隙間封鎖具１を折戸２に取り付けた状態を裏面側から見た扉連結部の斜視図である。
【図６】隙間封鎖具１の折戸２への取付要領図である。
【図７】折戸２の開閉に伴う隙間封鎖具１の動作図(A)〜(C)である。
【図８】従来の折戸を示す斜視図である。
【図９】従来の隙間カバー装置を示す、動作図(a)〜(c)である。
【符号の説明】
【００４１】
１…隙間封鎖具、２…折戸、２Ａ・２Ｂ…扉、３…上レール、４…下レール、１０…側壁部、１１Ａ・１１Ｂ…取付板部、１２Ａ・１２Ｂ…カバー板部、１３・１４…滑節部、１５…粘着剤、１６…剥離紙
【図１】
2010133097.tif 000003
【図２】
2010133097.tif 000004
【図３】
2010133097.tif 000005
【図４】
2010133097.tif 000006
【図５】
2010133097.tif 000007
【図６】
2010133097.tif 000008
【図７】
2010133097.tif 000009
【図８】
2010133097.tif 000010
【図９】
2010133097.tif 000011